(57)【特許請求の範囲】
【請求項１】
バーナと、
前記バーナにて加熱される被加熱物を載置する載置部と、
前記載置部に前記被加熱物が載置されている被加熱物載置状態と、前記載置部に前記被加熱物が載置されていない被加熱物非載置状態とを検出する載置状態検出部と、
前記載置状態検出部からの検出信号に基づいて前記バーナによる加熱動作を制御する制御部と、
前記制御部に電力を供給する電力供給状態と、前記制御部への電力供給を遮断する遮断状態とを切替えるための操作を受付ける操作部とを備え、
前記制御部は、前記電力供給状態から前記遮断状態へ切替えるための操作を前記操作部が受付けた時点から所定時間の間、前記電力供給状態に維持されることにより、前記所定時間内に前記載置状態検出部の異常診断処理を実行するように構成され、
前記異常診断処理の実行中において、前記制御部は、前記加熱動作を制御する通常モードよりも消費電力が低い低消費電力モードに設定され、
前記載置状態検出部からの検出信号を含む複数の信号を前記制御部に入力するための入力回路をさらに備え、
前記入力回路は、前記複数の信号にそれぞれ対応して設けられた複数のスイッチを含み、前記複数のスイッチを順次的に導通状態とする動作を所定周期で繰り返すダイナミックスキャン方式によって、前記複数の信号を順次的に前記制御部に入力するように構成され、
前記制御部は、前記通常モード時には、前記複数のスイッチを順次的に導通状態とする一方で、前記異常診断処理の実行中は、前記載置状態検出部からの検出信号に対応するスイッチを導通状態に固定する、コンロ。
【請求項２】
前記制御部に動作クロックを供給するクロック生成回路をさらに備え、
前記クロック生成回路は、前記制御部が前記低消費電力モードに設定されたときには、前記通常モード時に比べて低速の動作クロックを前記制御部に供給する、請求項１に記載のコンロ。
【請求項３】
前記制御部は、前記電力供給状態において、前記載置状態検出部により前記被加熱物載置状態が継続して検出されている載置状態継続時間を計測するように構成され、
前記載置状態継続時間が規定時間に達した場合には、前記制御部は、前記電力供給状態から前記遮断状態へ切替えるための操作を前記操作部が受付けた時点から前記所定時間の間、前記電力供給状態に維持され、
前記制御部は、前記所定時間の間に、前記載置部から前記被加熱物を上げることを促す案内情報を報知する、請求項１または２に記載のコンロ。
【請求項４】
前記制御部は、前記所定時間内に前記載置状態検出部により前記被加熱物非載置状態が検出されたときには、前記載置状態検出部が正常と診断して前記遮断状態に移行する、請求項３に記載のコンロ。
【発明の詳細な説明】
【技術分野】
【０００１】
本発明は、コンロに関し、より特定的には、バーナにて被加熱物を加熱するコンロに関する。
【背景技術】
【０００２】
バーナにて被加熱物を加熱するコンロにおいては、被加熱物を載置する載置部に被加熱物が載置されている被加熱物載置状態と、載置部に被加熱物が載置されていない被加熱物非載置状態とを検出するための載置状態検出部が設けられている（たとえば特開２００６−９７９７６号公報（特許文献１）および特開２００９−１５０５７９号公報（特許文献２）参照）。このようなコンロにおいて、載置状態検出部による検出情報は、主にバーナにおける加熱動作の制御に用いられる。
【０００３】
載置状態検出部には、加熱動作を行なっているときに被加熱物から降りかかる煮汁等が原因で被加熱物載置状態に固着される異常が生じる場合がある。特許文献１では、載置状態検出部に異常が生じているかどうかを判別するために、載置状態検出部により被加熱物載置状態が継続して検出されている載置状態継続時間を計測する。そして、載置状態継続時間が載置状態継続異常判別用設定時間に達すると、異常対策処理を実行するように構成されている。
【先行技術文献】
【特許文献】
【０００４】
【特許文献１】特開２００６−９７９７６号公報
【特許文献２】特開２００９−１５０５７９号公報
【発明の概要】
【発明が解決しようとする課題】
【０００５】
上記特許文献１では、電源スイッチがオンからオフに切替えられた場合において、載置状態検出部が被加熱物載置状態を検出しているときには、電源から制御手段への電力供給を継続させることにより、載置状態継続時間の計測を継続する。載置状態継続時間の計測は、載置状態検出部が被加熱部非載置状態を検出するまで行なわれる。そのため、電源スイッチがオフされてから被加熱物が載置部から取り除かれるまでの間に長い時間が経過している場合には、長時間に亘って電力供給が継続されることになり、電力消費量が増えてしまうという不具合が生じる。この結果、電池駆動式のコンロにおいては、電池の消耗が早くなり、電池の寿命が短くなる可能性がある。
【０００６】
本発明はこのような問題点を解決するためになされたものであって、本発明の目的は、低い電力消費量で載置状態検出部の異常診断を実行することが可能なコンロを提供することである。
【課題を解決するための手段】
【０００７】
本発明によるコンロは、バーナと、バーナにて加熱される被加熱物を載置する載置部と、載置部に被加熱物が載置されている被加熱物載置状態と、載置部に被加熱物が載置されていない被加熱物非載置状態とを検出する載置状態検出部と、載置状態検出部からの検出信号に基づいてバーナによる加熱動作を制御する制御部と、制御部に電力を供給する電力供給状態と、制御部への電力供給を遮断する遮断状態とを切替えるための操作を受付ける操作部とを備える。制御部は、電力供給状態から遮断状態へ切替えるための操作を操作部が受付けた時点から所定時間の間、電力供給状態に維持されることにより、所定時間内に載置状態検出部の異常診断処理を実行するように構成される。異常診断処理の実行中において、制御部は、加熱動作を制御する通常モードよりも消費電力が低い低消費電力モードに設定される。
【０００８】
上記コンロによれば、異常診断処理の実行中は制御部を低消費電力モードに設定することにより、異常診断処理による電力消費量の増加を抑制できる。この結果、低い電力消費量で載置状態検出部の異常診断を実行することができる。
【０００９】
好ましくは、コンロは、制御部に動作クロックを供給するクロック生成回路をさらに備える。クロック生成回路は、制御部が低消費電力モードに設定されたときには、通常モード時に比べて低速の動作クロックを制御部に供給する。
【００１０】
このようにすると、異常診断処理の実行中において、制御部における電力消費量の増加を抑制することができる。
【００１１】
好ましくは、コンロは、載置状態検出部からの検出信号を含む複数の信号を制御部に入力するための入力回路をさらに備える。入力回路は、複数の信号にそれぞれ対応して設けられた複数のスイッチを含む。入力回路は、複数のスイッチを順次的に導通状態とする動作を所定周期で繰り返すダイナミックスキャン方式によって、複数の信号を順次的に制御部に入力するように構成される。制御部は、通常モード時には、複数のスイッチを順次的に導通状態とする一方で、異常診断処理の実行中は、載置状態検出部からの検出信号に対応するスイッチを導通状態に固定する。
【００１２】
このようにすると、異常診断処理の実行中において、制御部における電力消費量の増加をさらに抑制することができる。
【００１３】
好ましくは、制御部は、電力供給状態において、載置状態検出部により被加熱物載置状態が継続して検出されている載置状態継続時間を計測するように構成される。載置状態継続時間が規定時間に達した場合には、電力供給状態から遮断状態へ切替えるための操作を操作部が受付けた時点から所定時間の間、制御部は、電力供給状態に維持される。制御部は、所定時間の間に、載置部から被加熱物を上げることを促す案内情報を報知する。
【００１４】
このようにすると、載置状態継続時間から載置状態検出部に異常が発生している可能性がある場合に異常診断処理が実行されるため、異常診断処理による電力消費量の増加を抑制することができる。
【００１５】
好ましくは、制御部は、所定時間内に載置状態検出部により被加熱物非載置状態が検出されたときには、載置状態検出部が正常と診断して遮断状態に移行する。
【００１６】
このようにすると、載置状態検出部が正常と診断されると制御部への電力供給が停止されるため、異常診断処理による電力消費量の増加を抑制することができる。
【発明の効果】
【００１７】
この発明によれば、バーナにて被加熱物を加熱するコンロにおいて、低い電力消費量で載置状態検出部の異常診断を実行することができる。
【図面の簡単な説明】
【００１８】
【図１】実施の形態１に従うコンロの概略構成図である。
【図２】図１に示したコンロの制御構成を示すブロック図である。
【図３】図２に示した点消火スイッチおよび火力表示部の概略構成図である。
【図４】図１に示したコンロにおける加熱制御および載置状態検出部の異常診断処理を説明するための機能ブロック図である。
【図５】載置状態検出部の異常診断処理の流れを説明するためのタイミングチャートである。
【図６】実施の形態１に従うコンロにおける制御の処理手順を説明するためのフローチャートである。
【図７】図６のステップＳ１７での消火中被加熱物無し制御の処理手順を説明するためのフローチャートである。
【図８】図６のステップＳ１８での通常燃焼制御の処理手順を説明するためのフローチャートである。
【図９】図６のステップＳ１２での載置状態検出部の異常診断処理の処理手順を説明するためのフローチャートである。
【図１０】コントローラにおけるＣＰＵおよびＩ／Ｏの構成を説明するためのブロック図である。
【図１１】図１０に示した入力回路の回路構成例を示す回路図である。
【図１２】ＣＰＵによるスキャン動作を示したタイミングチャートである。
【図１３】図６のステップＳ１２での載置状態検出部の異常診断処理の処理手順を説明するためのフローチャートである。
【発明を実施するための形態】
【００１９】
以下、本発明の実施の形態について図面を参照して詳細に説明する。なお、以下では、図中の同一または相当部分には同一符号を付して、その説明は原則的に繰返さないものとする。
【００２０】
［実施の形態１］
図１は、この発明の実施の形態１に従うコンロ１００の概略構成図である。
【００２１】
図１を参照して、コンロ１００は、キッチンカウンターに組み込まれるビルトインタイプである。コンロ１００は、コンロバーナ１，２，３と、グリルバーナ４（図２参照）を含むグリル６と、操作部５と、コントローラ７と、天板１０と、グリル排気口６２を備える。
【００２２】
コンロバーナは、標準バーナ１と、高火力バーナ２と、小バーナ３とにより構成される。コンロ１００の上面を覆っている天板１０の左側には標準バーナ１が配置され、天板１０の右側には高火力バーナ２が配置され、天板１０の中央の奥には小バーナ３が配置されている。標準バーナ１は、加熱する被加熱物を載置する「載置部」としての五徳１２と、伸縮機構１３とを含む。高火力バーナ２は、五徳２２と、伸縮機構２３とを含む。小バーナ３は、五徳３２と、伸縮機構３３とを含む。
【００２３】
伸縮機構１３，２３はそれぞれ、後述する被加熱物検出スイッチと一体となって「載置状態検出部」を構成する。載置状態検出部は、五徳に被加熱物（鍋等）が載置されている「被加熱物載置状態」と、五徳に被加熱物が載置されていない「被加熱物非載置状態」とを検出する。
【００２４】
グリル６は、コンロ１００の前面の中央において引出可能に配置されている。天板１０には、グリル６の燃焼排ガスを排気するためのグリル排気口６２が設けられている。
【００２５】
コンロ１００の前側面には、コンロバーナ１，２，３およびグリルバーナ４の点火、消火および火力調整を含む各種設定を行なうための操作を受付ける操作部５が設けられている。操作部５は、点消火スイッチ４１，４２，４３と、操作パネル５１，５２，５３，６１とを含む。点消火スイッチ４１および操作パネル５１は、標準バーナ１に対応して設けられている。点消火スイッチ４２および操作パネル５２は、高火力バーナ２に対応して設けられている。点消火スイッチ４３および操作パネル５３は、小バーナ３に対応して設けられている。操作パネル６１はグリルバーナ４に対応して設けられている。
【００２６】
点消火スイッチ４１，４２，４３の各々は、図３に示されるように、ユーザの押し操作により、対応するコンロバーナの点火指令用の操作位置と、該コンロバーナの消火指令用の操作位置とに切替え自在に構成されている。点消火スイッチ４１，４２，４３はさらに、点火指令用の操作位置において、対応するコンロバーナの燃焼量（火力）を調節すべく回転操作自在に構成されている。すなわち、点消火スイッチ４１，４２，４３の各々は、人為操作式の「点消火指令部」、および、人為操作式の「燃焼量調節操作部」を構成する。
【００２７】
操作パネル５１，５２，５３の各々は、対応するコンロバーナによる調理の設定を指令するための入力を受付ける。操作パネル６１は、グリルバーナ４に対して、点火、消火および火力調整を指令するための入力を受付ける。操作パネル５１，５２，５３，６１はたとえば開閉式になっている。
【００２８】
コンロ１００の前側面において、点消火スイッチ４１，４２，４３の周囲には、火力表示部５４および電源スイッチ４４が設けられている。火力表示部５４は、たとえば、点消火スイッチごとに複数のＬＥＤランプ５４ａ（図３参照）を並べて配置した構成となっている。火力表示部５４は、対応する点消火スイッチにて設定された燃焼量の大きさを、燃焼量の大きさに応じた数のＬＥＤ５４ａを点灯させて表示する。
【００２９】
コントローラ７は、コンロ１００の内部に搭載されている。コントローラ７は、コンロ１００の各部の制御を司る「制御部」を構成する。
【００３０】
図２は、図１に示したコンロ１００の制御構成を示すブロック図である。
図２を参照して、標準バーナ１、高火力バーナ２および小バーナ３の各々には、点火プラグ１４と、着火状態を検出する熱電対１５が設けられている。グリルバーナ４は、上面バーナ４ａと下面バーナ４ｂからなる両面バーナにより構成される。上面バーナ４ａおよび下面バーナ４ｂの各々にも、点火プラグ１４および熱電対１５が設けられている。
【００３１】
標準バーナ１、高火力バーナ２および下面バーナ４ｂにはそれぞれ、載置状態検出部８が設けられている。これら３つの載置状態検出部８は、基本的な構成が同じであるため、標準バーナ１に対する載置状態検出部８の構成を代表として説明し、他のものについては説明を省略する。
【００３２】
標準バーナ１に対する載置状態検出部８は、伸縮機構１３と、被加熱物検出スイッチ１７とを含む。伸縮機構１３は、「載置状態検出位置」と「非載置状態検出位置」とにわたって上下動自在に構成された上下可動部を含む。
【００３３】
載置状態検出位置とは、被加熱物載置状態を検出するための位置であり、五徳１２に載置される被加熱物の底部が当接するのに伴って押し下げられた状態での上下可動部の位置に対応する。一方、非載置状態検出位置とは、被加熱物非載置状態を検出するための位置であり、載置状態検出位置よりも上方の位置に対応する。五徳１２に被加熱物が載置されていないとき、上下可動部は、復帰付勢力により非載置状態検出位置に復帰する。そして、五徳１２に被加熱物が載置されるに伴って、上下可動部が被加熱物の底部により押し下げられて載置状態検出位置に位置する。
【００３４】
被加熱物検出スイッチ１７は、伸縮機構１３の上下可動部が載置状態検出位置に位置するときにオン状態とされ、かつ、上下可動部が上方に復帰して非載置状態検出位置に位置するときにオフ状態とされるように構成されている。
【００３５】
すなわち、被加熱物検出スイッチ１７がオン状態であるときには、伸縮機構１３の上下可動部が載置状態検出位置に位置しているため、被加熱物載置状態であることが検出される。一方、被加熱物検出スイッチ１７がオフ状態であるときには、上下可動部が非載置状態検出位置に位置しているため、被加熱物非載置状態であることが検出される。
【００３６】
伸縮機構１３，２３，３３，１８の各々の上端部内には、温度センサ１６が設けられている。温度センサ１６は、五徳上に載置された被加熱物の底部が上下可動部の上端に当接した状態で、被加熱物の温度を検出するように構成されている。
【００３７】
標準バーナ１、高火力バーナ２、小バーナ３およびグリルバーナ４へガスを供給するための構成として、元ガス供給路２４および元ガス電磁弁２５が設けられている。元ガス供給路２４は、標準バーナ用分岐路２０ａ、高火力バーナ用分岐路２０ｂ、小バーナ用分岐路２０ｃおよびグリルバーナ用分岐路２０ｄの４系統に分岐されている。これら４つの分岐路２０ａ〜２０ｄにはそれぞれ、ガス量を調整して、対応するバーナの燃焼量（火力）を調整するための流量制御弁１９が設けられている。
【００３８】
グリルバーナ用分岐路２０ｄはさらに、上面バーナ用分岐路および下面バーナ用分岐路に分かれている。上面バーナ用分岐路および下面バーナ用分岐路の各々には、オリフィスｏｆ付きの流路２６と、開閉式電磁弁２７を備えたバイパス路２８とが設けられている。
【００３９】
操作部５では、標準バーナ１に対応して、点消火指令部７１、燃焼量調節操作部８１、操作パネル５１および火力表示部５４が設けられる。点消火指令部７１および燃焼量調節操作部８１は、点消火スイッチ４１（図１）により実現される。
【００４０】
同様にして、高火力バーナ２に対応して、点消火指令部７２、燃焼量調節操作部８２、操作パネル５２および火力表示部５４が設けられる。点消火指令部７２および燃焼量調節操作部８２は、点消火スイッチ４２（図１）により実現される。小バーナ３に対応して、点消火指令部７３、燃焼量調節操作部８３、操作パネル５３および火力表示部５４が設けられる。点消火指令部７３および燃焼量調節操作部８３は、点消火スイッチ４３（図１）により実現される。また、操作パネル６１には、グリルバーナ４に対して点火および消火を指令するための点消火スイッチ６３が設けられている。
【００４１】
コントローラ７には、操作部５に加えて、スピーカ５５がさらに接続されている。スピーカ５５は、各種情報をユーザに報知する「報知部」の一実施例に対応する。報知部には、スピーカ５５の他に、火力表示部５４などが含まれる。
【００４２】
コントローラ７は、一例として、ＣＰＵ（Central  Processing  Unit）９０、ＲＯＭ（Read  Only  Memory）やＲＡＭ（Random  Access  Memory）などのメモリ９２およびＩ／Ｏ（Input／Output）９４を含むマイクロコンピュータを主体として構成される。コントローラ７は、マイクロコンピュータの動作クロックを供給するクロック生成回路９６をさらに含む。
【００４３】
コントローラ７は、操作部５において指令された運転状態に基づいて、コンロバーナ１，２，３およびグリルバーナ４における加熱動作を制御する。上記制御に加えて、コントローラ７は、載置状態検出部８の異常診断処理を実行する。
【００４４】
図４は、図１に示したコンロ１００における加熱制御および載置状態検出部８の異常診断処理を説明するための機能ブロック図である。図４に示された各機能ブロックの機能は、コントローラ７によるソフトウェア処理およびハードウェア処理によって実現することができる。
【００４５】
図４を参照して、コントローラ７は、電源制御部１０１と、燃焼制御部１０２と、計時部１０４と、記憶部１０６と、異常診断部１０８と、モード設定部１１０とを含む。
【００４６】
電源スイッチ４４は、コントローラ７に電力を供給する「電力供給状態」と、コントローラ７への電力供給を遮断する「電源遮断状態」とを切替えるための操作を受付ける。電源スイッチ４４がオンされると、電源制御部１０１は、電源Ｂからコントローラ７に電力を供給する。電源Ｂは電池であってもよいし、商用電源であってもよい。
【００４７】
一方、電源スイッチ４４がオフされたときには、電源制御部１０１は、電源Ｂからコントローラ７への電力供給を遮断する。ただし、電源制御部１０１は、異常診断部１０８から与えられる電源保持信号がオンに設定されている場合には、電源スイッチ４４がオフされた状態であっても、コントローラ７への電力供給を継続するように構成されている。
【００４８】
なお、電源制御部１０１は、電源スイッチ４４のオンに代えて、点消火スイッチ４１〜４３およびグリルバーナ４の点消火スイッチ６３の少なくともいずれか１つがオンされたときに、コントローラ７に電力を供給するようにしてもよい。また、電源制御部１０１は、点消火スイッチ４１〜４３および６３が全てオフされたときに、コントローラ７への電力供給を遮断するようにしてもよい。
【００４９】
電源制御部１０１によって遮断状態から電源供給状態に切替えられると、燃焼制御部１０２は、操作部５にて指令された各種制御指令に基づいて、元ガス電磁弁２５、流量制御弁１９および点火プラグ１４のそれぞれに駆動信号を与える。
【００５０】
具体的には、燃焼制御部１０２は、点消火スイッチ４１〜４３，６３の少なくとも１つがオン状態のときに、元ガス電磁弁２５を開弁し、点消火スイッチ４１〜４３，６３が全てオフ状態のときに、元ガス電磁弁２５を閉弁する。
【００５１】
燃焼制御部１０２は、点消火スイッチ４１〜４３（点消火指令部７１〜７３）および点消火スイッチ６３の点火指令に基づいて対応するバーナを点火させ、点消火スイッチ４１〜４３，６３の消火指令に基づいて対応するバーナを消火させるように、点火プラグ１４の作動を制御する。
【００５２】
また、燃焼制御部１０２は、点消火スイッチ４１〜４３（燃焼量調節操作部８１〜８３）の指令に基づいて燃焼供給量を制御するように、流量制御弁１９の作動を制御する。燃焼制御部１０２はさらに、載置状態検出部８からの検出信号に基づいて、被加熱物非載置状態では、バーナの燃焼を停止させる、または燃焼量を低下させる燃焼抑制処理を実行する。
【００５３】
計時部１０４は、コントローラ７が電力供給状態であるときには、載置状態検出部８により被加熱物載置状態が継続して検出されている時間Ｔ１（以下、「載置状態継続時間Ｔ１」とも称する）を計測する。計時部１０４は、電力供給状態の間、位置状態検出部８からの検出信号を監視することにより、被加熱物検出スイッチ１７がオン状態か否かを判定する。そして、被加熱物検出スイッチ１７がオフ状態と判定されたときには、計時部１０４は、載置状態継続時間Ｔ１をリセットする。すなわち、計時部１０４は、被加熱物検出スイッチ１７がオフされたとき、載置状態継続時間Ｔ１を初期値（Ｔ１＝０）にリセットする。
【００５４】
電源スイッチ４４がオフされたことによりコントローラ７が電源遮断状態に切替えられたときには、計時部１０４は、載置状態継続時間Ｔ１の計測を中断するとともに、計測した載置状態継続時間Ｔ１を記憶部１０６に記憶する。記憶部１０６は不揮発性メモリによって構成されており、電源遮断状態においても載置状態継続時間Ｔ１を保持することができる。次にコントローラ７が電力供給状態に切替えられたときに、載置状態検出部８により被加熱物載置状態が検出されていると、計時部１０４は、記憶部１０６に保持されている計測値に加算する状態で、載置状態継続時間Ｔ１の計測を再開する。
【００５５】
計時部１０４は、計測した載置状態継続時間Ｔ１を異常診断部１０８に出力する。異常診断部１０８は、載置状態継続時間Ｔ１と規定時間Ｔｓ１とを比較する。規定時間Ｔｓ１はたとえば３０時間に設定されている。載置状態継続時間Ｔ１が規定時間Ｔｓ１に達すると、異常診断部１０８は、電源スイッチ４４がオフされた時点から所定時間Ｔｓ２の間に、載置状態検出部８の異常診断処理を実行する。
【００５６】
具体的には、異常診断部１０８は、載置状態継続時間Ｔ１が規定時間にＴｓ１に達したと判断された場合には、電源スイッチ４４がオフされたときに電源保持信号をオンに設定して電源制御部１０１に与える。これにより、異常診断部１０８は、電源スイッチ４４がオフされた時点以降においても、自己への電力供給を継続させることで、異常診断処理の実行を可能とする。
【００５７】
異常診断部１０８はさらに、電源スイッチ４４がオフされたときに、コントローラ７の動作モードの切替指令をモード設定部１１０に与える。モード設定部１１０は、異常診断部１０８からの切替指令に従い、コントローラ７の動作モードを「通常モード」から「低消費電力モード」に切替える。
【００５８】
通常モードは、燃焼制御部１０２がコンロバーナ１〜３またはグリルバーナ４における加熱動作を制御しているときの動作モードである。これに対して、低消費電力モードは、通常モードよりも電力消費を抑えた動作モードである。たとえば、低消費電力モードでは、コントローラ７の動作周波数は、通常モードにおける動作周波数よりも低い周波数に設定される。モード設定部１１０によってコントローラ７が低消費電力モードに設定されると、クロック生成回路９６は、通常モードにおける動作クロックよりも低速（低周波数）の動作クロックを生成し、生成した動作クロックをＣＰＵ９０に供給する。
【００５９】
なお、モード設定部１１０は、次に電源スイッチ４４がオンされたときには、コントローラ７の動作モードを通常モードに復帰させる。これに従い、クロック生成回路９６は、動作クロックを通常モード時の速度に戻す。
【００６０】
このようにして、載置状態継続時間Ｔ１が規定時間Ｔｓ１に達した場合には、コントローラ７は、電源スイッチ４４がオフされた時点から所定時間Ｔｓ２の間、電力供給状態に維持されるとともに、低消費電力モードに設定される。そして、この所定時間Ｔｓ２内において、コントローラ７は、載置状態検出部８の異常診断処理を実行する。
【００６１】
（載置状態検出部の異常診断処理）
図５は、載置状態検出部８の異常診断処理の流れを説明するためのタイミングチャートである。図５では、被加熱物検出スイッチ１７が正常であるときの被加熱物検出スイッチ１７の状態および載置状態継続時間Ｔ１の時間的変化の一例が実線で示されている。また、被加熱物検出スイッチ１７がオン故障しているときの被加熱物検出スイッチ１７の状態および載置状態継続時間Ｔ１の時間的変化が破線で示されている。被加熱物検出スイッチ１７のオン故障とは、被加熱物検出スイッチ１７がオン状態で固定される故障であって、例えば被加熱物から降りかかる煮汁等が原因でスイッチの接点が固着することによって起こり得る。
【００６２】
図５を参照して、時刻ｔ１では、電源スイッチ４４がオフされているため、コントローラ７は遮断状態に設定されている。コントローラ７内の記憶部１０６（図４）には、前回のコンロ１００の作動中に計測された載置状態継続時間Ｔ１が保持されている。
【００６３】
時刻ｔ２にて電源スイッチ４４がオンされると、コントローラ７は電源遮断状態から電力供給状態に切替わる。コントローラ７は、電力供給状態になると、記憶部１０６から載置状態継続時間Ｔ１を読み出すとともに、載置状態検出部８からの検出信号に基づいて、被加熱物検出スイッチ１７がオン状態であるか否かを判定する。被加熱物検出スイッチ１７がオフ状態と判定された場合、図５に示されるように、コントローラ７は、載置状態継続時間Ｔ１をリセットする（Ｔ１＝０）。
【００６４】
時刻ｔ２より後の時刻ｔ３において、被加熱物検出スイッチ１７がオフ状態からオン状態に切替わると、コントローラ７は、載置状態継続時間Ｔ１の計測を開始する。時刻ｔ４において電源スイッチ４４がオフされると、コントローラ７は、電力供給状態から電源遮断状態に切替わる。コントローラ７は、載置状態継続時間Ｔ１の計測を中断し、計測した載置状態継続時間Ｔ１を記憶部１０６に記憶する。その後の時刻ｔ５において電源スイッチ４４がオンされて再び電力供給状態になると、コントローラ７は、被加熱物検出スイッチ１７のオン／オフ状態の判定結果に基づいて、載置状態継続時間Ｔ１の計測またはリセットを実行する。
【００６５】
これに対して、被加熱物検出スイッチ１７がオン故障している場合には、被加熱物検出スイッチ１７がオン状態で固定されているため、電源スイッチ４４がオンされてコントローラ７が電力供給状態になった時刻ｔ２以降、または時刻ｔ５以降において、載置状態継続時間Ｔ１がリセットされることがない。したがって、電源スイッチ４４がオンされた時点（時刻ｔ２，ｔ５）から電源スイッチ４４がオフされる時点（時刻ｔ４，ｔ８）までの間、コントローラ７は、記憶部１０６に保持されている載置状態継続時間Ｔ１に加算する状態で載置状態継続時間Ｔ１を計測する。
【００６６】
コントローラ７は、載置状態継続時間Ｔ１の計測に並行して、載置状態継続時間Ｔ１と規定時間Ｔｓ１（たとえば３０時間）とを比較する。載置状態継続時間Ｔ１が規定時間Ｔｓ１に達したと判定されると（時刻ｔ７）、コントローラ７は、電源スイッチ４４がオフされた時刻ｔ８から所定時間Ｔｓ２の間、電源保持信号をオンに設定する。これにより、コントローラ７は電力供給状態を継続させる。所定時間Ｔｓ２はたとえば２時間に設定される。
【００６７】
ここで、被加熱物検出スイッチ１７がオン状態に固定される場面としては、被加熱物検出スイッチ１７がオン故障している場合の他に、被加熱物検出スイッチ１７が正常であるが、ユーザが五徳に被加熱物を載置した状態で放置している場合が想定される。本実施の形態１では、電源スイッチ４４がオフされるとコントローラ７を電源遮断状態とするため、電源スイッチ４４のオフ後は、被加熱物検出スイッチ１７がオン状態か否かを判定することができない。そこで、コントローラ７は、電力供給状態において載置状態継続時間Ｔ１を計測し、載置状態継続時間Ｔ１が規定時間Ｔｓ１（例えば３０時間）に達したときには、載置状態検出部８に異常が生じている可能性があると判断して異常診断処理を実行する。これにより、被加熱物検出スイッチ１７がオン故障しているか否かを診断する。
【００６８】
異常診断処理では、コントローラ７は、まず、スピーカ５５を用いて、五徳から被加熱物を上げることを促す案内情報を報知する。そして、当該案内情報を報知した時点から所定時間Ｔｓ２（例えば２時間）が経過するまでの間に、載置状態検出部８により被加熱物非載置状態が検出されれば、コントローラ７は、載置状態検出部８が正常であると診断する。一方、案内情報を報知した時点から所定時間Ｔｓ２が経過しても、載置状態検出部８が被加熱物載置状態を継続して検出している場合には、コントローラ７は、載置状態検出部８が異常であると診断する。
【００６９】
その一方で、上記異常診断処理の実行中は、コントローラ７の異常診断機能を動作状態とするために、電源Ｂからコントローラ７への電力供給を継続させる必要がある。その結果、電源スイッチ４４がオフされた後にもコントローラ７を駆動するために電力が消費され続けるため、電力消費量が増えてしまうという不具合が生じる。これにより、電源Ｂとして電池を備える電池駆動式のコンロにおいては、電池の消耗が早くなり、電池の寿命が短くなる可能性がある。
【００７０】
本実施の形態１に従うコンロ１００では、異常診断処理の実行中、コントローラ７の動作モードを低消費電力モードに設定する。これにより、異常診断処理による電力消費量の増加を抑制することができる。低消費電力モードでは、たとえばコントローラ７の動作周波数を、通常モードでの動作周波数よりも低下させる。上述のように、異常診断処理は、所定時間Ｔｓ２内において載置状態検出部８により被加熱物非載置状態が検出されたか否かを判断するものである。そのため、コントローラ７の動作周波数を、バーナの加熱制御が行なわれる通常モード時の動作周波数よりも低い周波数としても、異常診断処理の実行に支障が生じることはない。
【００７１】
（処理フロー）
図６から図９は、本発明の実施の形態１に従うコンロ１００における制御の処理手順を説明するためのフローチャートである。図６から図９に示した制御処理は、コントローラ７によって実行される。
【００７２】
図６を参照して、ステップＳ０１により、電源スイッチ４４がオンされると、電源Ｂからコントローラ７に電力が供給される。ステップＳ０１による処理は、図４の電源制御部１０１の機能に相当する。
【００７３】
コントローラ７は、ステップＳ０２により、自己の動作モードを通常モードに設定する。ステップＳ０２による処理は、図４のモード設定部１１０の機能に相当する。
【００７４】
コントローラ７は、ステップＳ０３により、被加熱物検出スイッチ１７がオン状態であるか否かを判定する。被加熱物検出スイッチ１７がオン状態のときには（Ｓ０３のＹＥＳ判定時）、コントローラ７は、ステップＳ０４により、載置状態継続時間Ｔ１の計測を開始する。コントローラ７は、記憶部１０６に保持されている載置状態継続時間Ｔ１に加算する状態で、載置状態継続時間Ｔ１の計測を開始する。ステップＳ０４による処理は、図４の計時部１０４の機能に相当する。
【００７５】
一方、被加熱物検出スイッチ１７がオフ状態であるときには（Ｓ０３のＮＯ判定時）、コントローラ７は、ステップＳ１３により、載置状態継続時間Ｔ１をリセットする（Ｔ１＝０）。
【００７６】
コントローラ７は、ステップＳ０５により、被加熱物検出スイッチ１７がオン状態か否かを判定し、ステップＳ０６により、電源スイッチ４４がオン状態か否かを判定し、ステップＳ０７により、点消火スイッチ４１〜４３，６３がオン状態か否かを判定する。被加熱物検出スイッチ１７がオン状態であり、電源スイッチ４４がオン状態であり、かつ、点消火スイッチ４１〜４３，６３がオフ状態である場合（Ｓ０７のＮＯ判定時）、コントローラ７は、載置状態継続時間Ｔ１の計測を継続する。被加熱物検出スイッチ１７がオフ状態と判定されると（Ｓ０４のＮＯ判定時）、コントローラ７は、ステップＳ１４により、載置状態継続時間Ｔ１をリセットする。さらにコントローラ７は、ステップＳ１５により、電源スイッチ４４がオン状態か否かを判定する。電源スイッチ４４がオフ状態と判定された場合（Ｓ１５のＮＯ判定時）、ステップＳ１６により、コントローラ７は電源保持信号をオフに設定して処理を終了する。一方、電源スイッチ４４がオン状態と判定された場合（Ｓ１５のＹＥＳ判定時)には、処理はステップＳ０７に戻される。
【００７７】
点消火スイッチ４１〜４３，６３の少なくとも１つがオン状態であると判定されると（Ｓ０７のＹＥＳ判定時）、コントローラ７は、操作部５にて指令された各種制御指令に基づいて、オン状態の点消火スイッチに対応するバーナにおける加熱動作を制御する。
【００７８】
具体的には、コントローラ７は、ステップＳ０８により、被加熱物検出スイッチ１７がオン状態か否かを判定する。被加熱物検出スイッチ１７がオフ状態である場合（ステップＳ０８のＮＯ判定時）、コントローラ７は、ステップ１７に進み、「消火中被加熱物無し制御」を実行する。消火中被加熱物無し制御は、点消火スイッチがオン状態にもかかわらず点火処理を実行せず、対応するバーナを消火状態に維持するための制御であり、燃焼抑制処理の一態様に相当する。ステップＳ１７による処理は、図４の燃焼制御部１０２の機能に相当する。
【００７９】
図７は、図６のステップＳ１７での消火中被加熱物無し制御の処理手順を説明するためのフローチャートである。
【００８０】
図７を参照して、コントローラ７は、点消火スイッチがオフ状態からオン状態に切替えられた場合に、被加熱物検出スイッチ１７がオフ状態のときには（ステップＳ０８のＮＯ判定時）には、ステップＳ３１により、当該点消火スイッチがオン状態であることによる点火指令を無効にするとともに、当該点消火スイッチに対応するバーナの消火状態を維持する。コントローラ７はさらに、ステップＳ３２により、スピーカ５５を用いて、五徳に被加熱物を載置することを促す案内情報（例えば「鍋を置いて下さい」などの案内情報）を報知するとともに、ステップＳ３３により、バーナに対応する火力表示部５４のＬＥＤ５４ａ（図３）を点滅させる。その後、コントローラ７は、図６に示すメインフローチャートのステップＳ０７に戻って、再び点消火スイッチがオン状態か否かを判定する。
【００８１】
図６に戻って、点消火スイッチがオン状態であり、かつ、被加熱物検出スイッチ１７がオン状態である場合（Ｓ０８のＹＥＳ判定時）、コントローラ７はさらに、ステップ０９により、電源スイッチ４４がオン状態か否かを判定する。電源スイッチ４４がオン状態の場合（Ｓ０９のＹＥＳ判定時）、コントローラ７は「通常燃焼制御」を実行する。ステップＳ１８による処理は、図４の燃焼制御部１０２の機能に相当する。
【００８２】
図８は、図６のステップＳ１８での通常燃焼制御の処理手順を説明するためのフローチャートである。
【００８３】
図８を参照して、通常時燃焼制御では、コントローラ７は、ステップＳ４１により、オン状態の点消火スイッチに対応するバーナを点火させる点火処理を行なう。点火処理では、まず、流量制御弁１９を開弁させ、点火プラグ１４に駆動信号を与えて点火作動させる。点消火スイッチがオン状態であり、かつ、被加熱物検出スイッチ１７がオン状態である間は（ステップＳ４３のＹＥＳ判定時）、ステップＳ５０により、流量制御弁１９の開度を調整することにより、燃焼量調整処理を行ないながらバーナの燃焼を継続させる。
【００８４】
コントローラ７は、バーナを燃焼させている間に、点消火スイッチがオン状態からオフ状態になると（Ｓ４２のＮＯ判定時）、ステップＳ４９に進み、消火処理を実行する。その後、図６に示すメインフローチャートのステップＳ０７に戻り、再び点消火スイッチがオン状態か否かを判定する。
【００８５】
一方、コントローラ７は、バーナを燃焼させている間に、被加熱物検出スイッチ１７がオフ状態になると（ステップＳ４３のＮＯ判定時）、ステップＳ４４により、当該バーナの燃焼量を、被加熱物不存在時の燃焼量に低下させるように流量制御弁１９の開度を制御する。ステップＳ４４による処理は、燃焼抑制処理の一態様に相当する。コントローラ７はさらに、ステップＳ４５により、載置状態継続時間Ｔ１をリセットする。コントローラ７は、ステップＳ４６により、当該バーナに対応する火力表示部５４を点滅させることにより、五徳に被加熱物が載置されていない状態でバーナが燃焼しているという異常状態であることを報知する。
【００８６】
続いて、コントローラ７は、バーナの燃焼中に被加熱物検出スイッチ１７がオフ状態になった後の経過時間Ｔ３が所定時間Ｔｓ３に達するまでは（Ｓ４７のＮＯ判定時）、ステップＳ４２に戻り、バーナの燃焼量を不存在時燃焼量に低下させる状態を継続する。その間に被加熱物検出スイッチ１７がオン状態になると（ステップＳ４３のＹＥＳ判定時）、コントローラ７は、ステップＳ５０に示す燃焼量調整処理を行なった後、ステップＳ４２に戻る。なお、所定時間Ｔｓ３はたとえば６０秒に設定される。
【００８７】
一方、経過時間Ｔ３が所定時間Ｔｓ３に達しても被加熱物検出スイッチ１７のオフ状態が継続している場合は（Ｓ４７のＹＥＳ判定時）、コントローラ７は、ステップＳ４８に進み、点消火スイッチがオン状態であることによる点火指令を無効にし、かつ、ステップＳ４９により、消火処理を実行する。その後、図６に示すメインフローチャートのステップＳ０７に戻り、再び点消火スイッチがオン状態か否かを判定する。
【００８８】
図６に戻って、電源スイッチ４４がオフ状態である場合（Ｓ０９のＮＯ判定時）には、コントローラ７は、ステップＳ１０により、載置状態継続時間Ｔ１と規定時間Ｔｓ１とを比較する。載置状態継続時間Ｔ１が規定時間Ｔｓ１に達していない場合（Ｓ１０のＮＯ判定時）、コントローラ７は、ステップＳ１９に進み、載置状態継続時間Ｔ１を記憶部１０６に記憶した後、ステップＳ２０により、電源保持信号をオフに設定する。これにより、コントローラ７は電力供給状態から電源遮断状態に切替えられる。
【００８９】
これに対して、載置状態継続時間Ｔ１が規定時間Ｔｓ１以上である場合には（Ｓ１０のＹＥＳ判定時）、コントローラ７は、ステップＳ１１に進み、電源保持信号をオンに設定する。これにより、電源スイッチ４４のオフ後においても、電源Ｂからコントローラ７に対して電力供給が継続される。コントローラ７は、ステップＳ１２により、電源Ｂから電力の供給を受けて、載置状態検出部８の異常診断処理を実行する。ステップＳ１２による処理は、図４の異常診断部１０８の機能に相当する。
【００９０】
図９は、図６のステップＳ１２での載置状態検出部の異常診断処理の処理手順を説明するためのフローチャートである。
【００９１】
図９を参照して、コントローラ７は、ステップＳ６１により、自己の動作モードを低消費電力モードに設定する。ステップＳ６１による処理は、図４のモード設定部１１０の機能に相当する。動作モードが通常モードから低消費電力モードに切替えられたことにより、通常モードにおける動作クロックよりも低速の動作クロックがコントローラ７に供給される。これにより、コントローラ７の動作周波数は、通常モードにおける動作周波数よりも低くなる。
【００９２】
コントローラ７は、ステップＳ６２により、スピーカ５５に「鍋を上げて下さい」などの五徳から被加熱物を上げることを促す案内情報を報知させる。次に、コントローラ７は、ステップＳ６３により、案内情報報知後の経過時間Ｔ２（以下、「案内情報報知後経過時間Ｔ２」とも称する）の計測を開始する。コントローラ７はさらに、ステップＳ６４により、被加熱物載置状態にあるバーナに対応する火力表示部５４を点滅させる。
【００９３】
案内情報報知後経過時間Ｔ２が所定時間Ｔｓ２（例えば２時間）に達するまでに、被加熱物検出スイッチ１７がオン状態からオフ状態になると（Ｓ６５のＮＯ判定時）、コントローラ７は、ステップＳ７２により、載置状態継続時間Ｔ１および案内情報報知後経過時間Ｔ２の各々をリセットする（Ｔ１＝Ｔ２＝０）。コントローラ７は、ステップＳ７３により、火力表示部５４を消灯させるとともに、ステップＳ７４により、「センサは正常です」などの載置状態検出部８が正常であることを示す情報を報知する。
【００９４】
一方、案内情報報知後経過時間Ｔ２が所定時間Ｔｓ２に達しても、被加熱物検出スイッチ１７のオン状態が継続している場合には（Ｓ６５のＹＥＳ判定時）、コントローラ７は、ステップＳ６７により、載置状態検出部８が異常であると診断する。そして、ステップＳ６８により、コントローラ７は、メモリ９２に格納されている異常診断回数Ｋを加算（１増加）する。異常診断回数Ｋは、ステップＳ１２による異常診断処理において載置状態検出部８が異常と診断された回数を表すものであり、異常と診断されると１増加するように更新される。
【００９５】
コントローラ７は、ステップＳ６９により、異常診断回数Ｋと閾値Ｋ１とを比較する。異常診断回数Ｋが閾値Ｋ１に達していない場合（Ｓ６９のＮＯ判定時）、コントローラ７は、ステップＳ７１により、電源保持信号をオフに設定する。これにより、コントローラ７は遮断状態となる。なお、異常診断回数の閾値Ｋ１は１回であってもよいし、２回以上であってもよい。
【００９６】
一方、異常診断回数Ｋが閾値Ｋ１に達した場合には（Ｓ６９のＹＥＳ判定時）、コントローラ７は、スピーカ５５に「故障が発生しました」などの異常情報を報知させるとともに、火力表示部５４を点滅させて、異常が発生したことを報知する。その後、ステップＳ７１により、電源保持信号をオフに設定することにより遮断状態に移行する。
【００９７】
このように本実施の形態１に従うコンロによれば、載置状態検出部の異常診断処理の実行中は、コントローラ７の動作モードを低消費電力モードに設定することにより、異常診断処理による電力消費量の増加を抑制することができる。この結果、低い電力消費量で載置状態検出部の異常診断を実行することができる。
【００９８】
［実施の形態２］
実施の形態２では、異常診断処理による電力消費量をさらに低減することが可能な構成について説明する。なお、実施の形態２において、載置状態検出部の異常診断処理以外は実施の形態１と同様である。
【００９９】
図１０は、コントローラ７におけるＣＰＵ９０およびＩ／Ｏ９４（図２参照）の構成を説明するためのブロック図である。
【０１００】
図１０を参照して、Ｉ／Ｏ９４は、入力回路９４ａと、図示しない出力回路とにより構成される。入力回路９４ａは、載置状態検出部８からの検出信号を含む複数の信号をＣＰＵ９０に入力する。図１０には、合計１０個の信号をＣＰＵ９０に入力するための構成が例示されている。上記複数の信号には、操作部５からの各種指令および温度センサ１６からの検出信号などが含まれる。操作部５からの各種指令には、コンロバーナ１〜３による調理の設定に関する指令、およびグリルバーナ４に対する点火、消火および火力調整に関する指令が含まれる。
【０１０１】
ＣＰＵ９０は、２個の入力端子ＩＮ１，ＩＮ２を有する。入力回路９４ａは、ＣＰＵ９０から与えられる切替指令Ｓ１〜Ｓ５に従って、複数の信号を順次的にＣＰＵ９０の入力端子ＩＮ１，ＩＮ２に入力する。
【０１０２】
図１１は、図１０に示した入力回路９４ａの回路構成例を示す回路図である。
図１１を参照して、入力回路９４ａは、上記複数の信号にそれぞれ対応して設けられた複数のスイッチを含む。複数のスイッチの各々はスイッチング素子により構成される。図１１の例では、入力回路９４ａは、複数のスイッチとして、合計５個のスイッチング素子Ｔ１〜Ｔ５を含む。スイッチング素子Ｔ１〜Ｔ５には、例えばＭＯＳＦＥＴ（Metal  Oxide  Semiconductor  Field  Effect  Transistor）などのトランジスタが用いられる。スイッチング素子Ｔ１〜Ｔ５はそれぞれ、ＣＰＵ９０からの指令ＣＯＭ１〜ＣＯＭ５に従って導通（オン）／非導通（オフ）が制御される。
【０１０３】
入力回路９４ａは、複数のスイッチ（スイッチング素子Ｔ１〜Ｔ５）を順次的にオン状態とする動作を所定周期で繰り返すダイナミックスキャン方式によって、複数の信号を順次的にＣＰＵ９０に入力するように構成されている。
【０１０４】
図１２は、ＣＰＵ９０によるスキャン動作を示したタイミングチャートである。図１２に示されるように、ＣＰＵ９０は、スイッチング素子Ｔ１〜Ｔ５を順次オンする動作を所定周期で繰り返す。スイッチング素子Ｔ１〜Ｔ５には指令ＣＯＭ１〜ＣＯＭ５がそれぞれ対応付けられている。たとえばスイッチング素子Ｔ１がオンされると、電源端子Ｖｃｃから電源電圧が指令ＣＯＭ１に供給されることにより、指令ＣＯＭ１が有効となる。一方、スイッチング素子Ｔ１がオフされると、電源端子Ｖｃｃからの電源電圧の供給が遮断されることにより、指令ＣＯＭ１が無効となる。ＣＰＵ９０がスイッチング素子Ｔ１〜Ｔ５を順次オンすることにより、指令ＣＯＭ１〜ＣＯＭ５が順次有効となる。
【０１０５】
図１１に示されるように、指令ＣＯＭ１〜ＣＯＭ５とＣＰＵ９０を入力端子ＩＮ１，ＩＮ２に入力するための信号線上には、複数のリレーＲを含むリレー回路９５と、スイッチング素子Ｔ１１，Ｔ１２とが設けられている。各信号線は２本の分岐線に分かれており、各々の分岐線に対して１つのリレーＲが設けられている。そして、２本の分岐線は、スイッチング素子Ｔ１１，Ｔ１２のベースにそれぞれ接続されている。
【０１０６】
複数のリレーＲはそれぞれ、入力回路９４ａに入力される複数の信号に応答してオン／オフする。具体的には、リレーＲは、対応する信号が活性化したときにオンされ、対応する信号が非活性化したときにオフされる。リレーＲがオンされると、オンされたリレーＲが設けられる分岐線からスイッチング素子Ｔ１１，Ｔ１２のベースに指令ＣＯＭが入力される。スイッチング素子Ｔ１１，Ｔ１２は、指令ＣＯＭが有効であるときにオン状態となり、指令ＣＯＭが無効であるときにオフ状態となる。スイッチング素子Ｔ１１，Ｔ１２がオン状態となると、電源端子Ｖｃｃからの電源電圧が入力端子ＩＮ１，ＩＮ２に入力される。
【０１０７】
すなわち、入力回路９４ａにおいて、合計１０個の信号は２個ずつに区分されるとともに、２個の信号に対して１個の指令ＣＯＭが割り当てられている。そして、ＣＰＵ９０のスキャン動作によって指令ＣＯＭ１〜ＣＯＭ５が順次的に有効にされると、１つの指令ＣＯＭが有効となるタイミングにおいて、当該指令ＣＯＭに対応する２個の信号を、２つの入力端子ＩＮ１，ＩＮ２にそれぞれ入力するように構成されている。
【０１０８】
本実施の形態２では、コントローラ７は、通常モード時には、上述したダイナミックスキャン方式によって、複数のスイッチング素子Ｔ１〜Ｔ５を順次的にオン状態とする。その一方で、載置状態検出部８の異常診断処理の実行中は、コントローラ７は、載置状態検出部８からの検出信号に対応するスイッチング素子をオン状態に固定する。
【０１０９】
たとえば、載置状態検出部８からの検出信号に対して指令ＣＯＭ１が割り当てられている場合を想定する。この場合、ＣＰＵ９０は、指令ＣＯＭ１の有効／無効を設定するためのスイッチング素子Ｔ１については、異常診断処理の実行中、オン状態に固定する。あるいは、異常診断処理の実行中においてもオン／オフ動作を実行させる。これにより、スイッチング素子Ｔ１がオンされて指令ＣＯＭ１が有効に設定されるタイミングで、載置状態検出部８からの検出信号がＣＰＵ９０に入力される。
【０１１０】
一方、ＣＰＵ９０は、指令ＣＯＭ２〜ＣＯＭ５の有効／無効を設定するためのスイッチング素子Ｔ２〜Ｔ５については、図１２に破線で示すように、異常診断処理の実行中はオフ状態に固定する。したがって、指令ＣＯＭ２〜ＣＯＭ５はいずれも無効に設定される。
【０１１１】
このように入力回路９４ａは、載置状態検出部８の異常診断処理の実行中は、載置状態検出部８からの検出信号をＣＰＵ９０に入力する一方で、載置状態検出部８からの検出信号以外の信号、すなわち、異常診断処理に用いない信号についてはＣＰＵ９０への入力を停止する。
【０１１２】
異常診断処理に用いる信号をＣＰＵ９０に入力するためのスイッチング素子Ｔ１をオン状態に固定する構成とした場合には、ダイナミックスキャン方式における所定周期を短縮することができる。これにより、低消費電力モードに設定して動作周波数を下げたことによりＣＰＵ９０の処理時間がかかることを抑制できる。
【０１１３】
また、スイッチング素子Ｔ１をオン／オフ動作させる一方で、異常診断処理に用いない信号をＣＰＵ９０に入力するためのスイッチング素子Ｔ２〜Ｔ５をオフ状態に固定する構成とした場合には、スイッチング素子Ｔ２〜Ｔ５のオンオフ動作に伴う電力消費を抑えることができる。これにより、異常診断処理による電力消費量をさらに低減することが可能となる。
【０１１４】
図１３は、図６のステップＳ１２での載置状態検出部の異常診断処理の処理手順を説明するためのフローチャートである。図１３のフローチャートに従う制御処理は、実施の形態１で説明した制御処理（図６）のステップＳ１２において、図９に示された制御処理に代えて実行される。
【０１１５】
図１３を参照して、コントローラ７は、図９と同様のステップＳ６１により、自己の動作モードを低消費電力モードに設定する。コントローラ７には、通常モードにおける動作クロックよりも低速の動作クロックが供給される。
【０１１６】
コントローラ７は、ステップＳ６１Ａにより、入力回路９４ａ（図１１）において、複数のスイッチング素子Ｔ１〜Ｔ５のうち、載置状態検出部８からの検出信号に対応するスイッチング素子をオン状態に固定する。
【０１１７】
案内情報の報知、および、案内情報報知後経過時間Ｔ２に基づく載置状態検出部８の異常診断（Ｓ６２〜Ｓ７４）については、実施の形態１と同様であるので詳細は繰返さない。
【０１１８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１９】
１  標準バーナ、２  高火力バーナ、３  小バーナ、４  グリルバーナ、４ａ  上面バーナ、４ｂ  下面バーナ、５  操作部、６  グリル、７  コントローラ、８  載置状態検出部、１０  天板、１２，２２，３２  五徳、１３，１８，２３，３３  伸縮機構、１４  点火プラグ、１５  熱電対、１６  温度センサ、１７  被加熱物検出スイッチ、１９  流量制御弁、２０ａ  標準バーナ用分岐路、２０ｂ  高火力バーナ用分岐路、２０ｃ  小バーナ用分岐路２０ｃ、２０ｄ  グリルバーナ用分岐路、２４  元ガス供給路、２５  元ガス電磁弁、２６  流路、２７  開閉式電磁弁、２８  バイパス路、４１〜４３，６３  点消火スイッチ、４４  電源スイッチ、５１〜５３，６１  操作パネル、５４  火力表示部、５５  スピーカ、６２  グリル排気口、７１〜７３  点消火指令部、８１〜８３  燃焼量調節操作部、９０  ＣＰＵ、９２  メモリ、９４  Ｉ／Ｏ、９４ａ  入力回路、９５  リレー回路、９６  クロック生成回路、１００  コンロ、１０１  電源制御部、１０２  燃焼制御部、１０４  計時部、１０６  記憶部、１０８  異常診断部、１１０  モード設定部、Ｂ  電源、Ｔ１〜Ｔ５，Ｔ１１，Ｔ１２  スイッチング素子、Ｒ  リレー、ＣＯＭ１〜ＣＯＭ５  指令。
【図１】
0006540194.tif 000002
【図２】
0006540194.tif 000003
【図３】
0006540194.tif 000004
【図４】
0006540194.tif 000005
【図５】
0006540194.tif 000006
【図６】
0006540194.tif 000007
【図７】
0006540194.tif 000008
【図８】
0006540194.tif 000009
【図９】
0006540194.tif 000010
【図１０】
0006540194.tif 000011
【図１１】
0006540194.tif 000012
【図１２】
0006540194.tif 000013
【図１３】
0006540194.tif 000014